(57)【要約】【課題】コンパクトな構成で操作が容易であり、造影剤を血管内から効果的に除去できる造影剤除去デバイスおよび造影剤除去方法を提供する。【解決手段】造影剤を血管内から除去するための造影剤除去デバイス１０であって、遠位部に遠位側ルーメン２１が形成されたシャフト部２０と、遠位側ルーメン２１内に配置されて遠位側ルーメン２１の遠位側開口部２４から外部の流体を吸引可能なポンプ５０と、遠位側ルーメン２１内でポンプ５０により加圧された流体から造影剤を選択的に回収可能な回収部３０と、回収部３０により造影剤を取り除かれた液体をシャフト部２０から外部へ戻す返液部３５と、を有する。【選択図】図２
2016202553.tif 000002
【特許請求の範囲】
【請求項１】
造影剤を血管内から除去するための造影剤除去デバイスであって、
少なくとも遠位部にルーメンが形成されたシャフト部と、
前記ルーメン内に配置されて前記ルーメンの開口部から外部の流体を吸引可能なポンプと、
前記ルーメン内で前記ポンプにより加圧された流体から造影剤を選択的に回収可能な回収部と、
前記回収部により造影剤を取り除かれた液体を前記シャフト部から外部へ戻す返液部と、を有する造影剤除去デバイス。
【請求項２】
前記ポンプは、遠心ポンプを有し、
前記回収部は、前記遠心ポンプの外側に配置される請求項１に記載の造影剤除去デバイス。
【請求項３】
前記ポンプは、前記遠心ポンプよりも前記開口部に近い側に配置される軸流ポンプを更に有する請求項２に記載の造影剤除去デバイス。
【請求項４】
前記回収部は、造影剤を吸着可能な吸着体を有する請求項１〜３のいずれか１項に記載の造影剤除去デバイス。
【請求項５】
前記回収部は、造影剤が通過可能であるとともに血液の通過を制限する制限膜を有する請求項１〜３のいずれか１項に記載の造影剤除去デバイス。
【請求項６】
造影剤を血管内から除去するための造影剤除去方法であって、
（ｉ）遠位部に形成されるルーメン内にポンプが設けられた造影剤除去デバイスを血管内に挿入する挿入ステップと、
（ｉｉ）前記ポンプを回転させて前記ルーメン内に血液および造影剤を吸引して加圧する加圧ステップと、
（ｉｉｉ）加圧された血液および造影剤から造影剤を選択的に回収する回収ステップと、
（ｉｖ）血液を血管へ戻す返液ステップと、を有する造影剤除去方法。
【請求項７】
前記回収ステップにおいて、造影剤を吸着可能な吸着体に加圧された血液および造影剤を接触させることで、造影剤を前記吸着体に吸着させて回収する請求項６に記載の造影剤除去方法。
【請求項８】
前記回収ステップにおいて、造影剤が通過可能であるとともに血液の通過を制限する制限膜に加圧された血液および造影剤を接触させることで、前記制限膜に造影剤を通過させて回収する請求項６に記載の造影剤除去方法。
【発明の詳細な説明】
【技術分野】
【０００１】
本発明は、血管内に挿入して造影剤を血管内から除去するための造影剤除去デバイスおよび造影剤除去方法に関する。
【背景技術】
【０００２】
従来から、狭心症や心筋梗塞などの虚血性心疾患の治療方法として、冠動脈の狭窄部や閉塞部にバルーンを挿入し、バルーンを拡張させることで狭窄部や閉塞部を押し広げるように拡張し、血流を回復させる経皮的冠動脈形成術（ＰＣＩ）が行われている。ＰＣＩは、冠動脈に造影剤を投与し、Ｘ線透視下で狭窄部や閉塞部を確認しながら行われる。
【０００３】
ところで、腎機能が低い患者に対してＰＣＩを行うと、造影剤の副作用により造影剤腎症に陥り、場合によっては透析が必要になる場合もある。その原因は、確定されていないが、造影剤が腎臓に流れ込み、腎血管が収縮し、腎血流量や糸球体濾過量が低下するために、腎虚血となる血管性の要因が考えられている。さらに、造影剤は尿細管細胞に対して直接的な細胞毒性を示すことも知られている。
【０００４】
このため、血管内の造影剤を取り除く種々の方法が提案されている。例えば特許文献１には、ＰＣＩを行うために冠動脈に造影剤を放出した後、冠静脈を通って冠静脈洞、右心房に流れる造影剤を、右心房に挿入したデバイスにより体外へ抜き出し、フィルターなどで造影剤を除去した後、血液を体内に戻す方法が記載されている。
【０００５】
また、造影剤は下肢動脈のインターベーションや経カテーテル大動脈弁留置術（ＴＡＶＩ）でも用いられており、腎臓に対する同様の毒性が問題となっている。
【先行技術文献】
【特許文献】
【０００６】
【特許文献１】米国特許第７１６３５２０号明細書
【発明の概要】
【発明が解決しようとする課題】
【０００７】
特許文献１に記載のデバイスは、大量の水を必要とするため、大掛かりな装置である。更に、血液を一旦体外へ抜き出し造影剤を除去した後、再び血液を体内に戻す必要があるため、非常に手間が掛かかる。
【０００８】
本発明は、上述した課題を解決するためになされたものであり、コンパクトな構成であって操作が容易であり、造影剤を血管内から効果的に除去できる造影剤除去デバイスおよび造影剤除去方法を提供することを目的とする。
【課題を解決するための手段】
【０００９】
上記目的を達成する造影剤除去デバイスは、造影剤を血管内から除去するための造影剤除去デバイスであって、少なくとも遠位部にルーメンが形成されたシャフト部と、前記ルーメン内に配置されて前記ルーメンの開口部から外部の流体を吸引可能なポンプと、前記ルーメン内で前記ポンプにより加圧された流体から造影剤を選択的に回収可能な回収部と、前記回収部により造影剤を取り除かれた液体を前記シャフト部から外部へ戻す返液部と、を有する造影剤除去デバイスである。
【発明の効果】
【００１０】
上記のように構成した造影剤除去デバイスは、ルーメン内に配置されるポンプにより流体を加圧して回収部への流入を促しつつ回収部で造影剤を回収できるため、血液を一旦体外へ抜き出す必要がなく、コンパクトな構成となるとともに操作が容易となり、かつ造影剤を血管内から効果的に除去できる。
【００１１】
前記ポンプは、遠心ポンプを有し、前記回収部は、前記遠心ポンプの吐出方向に配置されるようにすれば、遠心ポンプにより加圧された流体が効率よく回収部へ移動し、造影剤を効率よく回収して除去できる。
【００１２】
前記ポンプは、前記遠心ポンプよりも前記開口部に近い側に配置される軸流ポンプを更に有するようにすれば、外部からルーメン内へ血液を効率よく取り込むことができる。
【００１３】
前記回収部は、造影剤を吸着可能な吸着体を有するようにすれば、吸着体に造影剤を吸着させることで、造影剤を血管内から選択的に除去することができ、血液を除去することによる虚血となることを抑制できる。
【００１４】
前記回収部は、造影剤が通過可能であるとともに血液の通過を制限する制限膜を有するようにすれば、制限膜に造影剤を選択的に通過させることで、造影剤を血管内から選択的に除去することができ、血液を除去することによる虚血となることを抑制できる。
【００１５】
上記目的を達成する造影剤除去方法は、造影剤を血管内から除去するための造影剤除去方法であって、（ｉ）遠位部に形成されるルーメン内にポンプが設けられた造影剤除去デバイスを血管内に挿入する挿入ステップと、（ｉｉ）前記ポンプを回転させて前記ルーメン内に血液および造影剤を吸引して加圧する加圧ステップと、（ｉｉｉ）加圧された血液および造影剤から造影剤を選択的に回収する回収ステップと、（ｉｖ）血液を血管へ戻す返液ステップと、を有する。上記のように構成した造影剤除去方法は、ルーメン内に配置されるポンプにより流体を加圧して造影剤の回収を促すことができるため、血液を一旦体外へ抜き出す必要がなく、コンパクトな構成となるとともに操作が容易となり、かつ造影剤を血管内から効果的に除去できる。
【００１６】
前記回収ステップにおいて、造影剤を吸着可能な吸着体に加圧された血液および造影剤を接触させることで、造影剤を前記吸着体に吸着させて回収するようにすれば、造影剤を血液から選択的に除去することができ、血液を排出することによる虚血の発生を抑制できる。
【００１７】
前記回収ステップにおいて、造影剤が通過可能であるとともに血液の通過を制限する制限膜に加圧された血液および造影剤を接触させることで、前記制限膜に造影剤を通過させて回収するようにすれば、造影剤を血液から選択的に除去することができ、血液を排出することによる虚血の発生を抑制できる。
【図面の簡単な説明】
【００１８】
【図１】第１実施形態に係る造影剤除去デバイスを示す平面図である。
【図２】第１実施形態に係る造影剤除去デバイスの遠位部を示す縦断面図である。
【図３】第１実施形態に係る造影剤除去デバイスを右心房に配置した状態を示す概略図である。
【図４】第１実施形態に係る造影剤除去デバイスにより右心房内の血液から造影剤を除去する際の状態を示す断面図である。
【図５】第２実施形態に係る造影剤除去デバイスを示す平面図である。
【図６】第２実施形態に係る造影剤除去デバイスの遠位部を示す縦断面図である。
【図７】第２実施形態に係る造影剤除去デバイスにより右心房内の血液から造影剤を除去する際の状態を示す断面図である。
【発明を実施するための形態】
【００１９】
以下、図面を参照して、本発明の実施の形態を説明する。なお、図面の寸法比率は、説明の都合上、誇張されて実際の比率とは異なる場合がある。
＜第１実施形態＞
【００２０】
本発明の第１実施形態に係る造影剤除去デバイス１０は、経皮的冠動脈形成術（ＰＣＩ）を行う際に血管へ放出された造影剤を、血管内から除去するためのデバイスである。なお、本明細書では、デバイスの血管に挿入する側を「遠位側」、操作する手元側を「近位側」と称することとする。
【００２１】
造影剤除去デバイス１０は、図１、２に示すように、シャフト部２０と、シャフト部２０の遠位部の外側に配置される回収部３０と、シャフト部２０の内部に回転可能に配置される駆動シャフト４０と、駆動シャフト４０により回転駆動されるポンプ５０と、シャフト部２０の近位部に連結される操作部６０とを備えている。
【００２２】
シャフト部２０は、長尺な管体であり、内部にルーメンが形成されている。ルーメンは、遠位部にてポンプが配置される内径が大きい遠位側ルーメン２１と、遠位側ルーメン２１よりも近位側で駆動シャフト４０が回転可能に配置される近位側ルーメン２２とを備えている。シャフト部２０は、遠位側ルーメン２１に、回収部３０へ流体を供給するための通孔２３が形成されている。近位側ルーメン２２の遠位部には、配置され、駆動シャフト４０の回転を許容しつつ、近位方向への流体の流入を抑制するシール部材２５が配置されている。
【００２３】
回収部３０は、シャフト部２０の遠位部の外周にシャフト部２０と同軸的に配置される収容管３１と、収容管３１の内部に設けられる造影剤を吸着可能な吸着体３２とを備えている。収容管３１は、遠位部および近位部がシャフト部２０の外周面に固着されており、収容管３１とシャフト部２０の間に形成される隙間である収容空間３３に、吸着体３２が配置される。収容空間３３の遠位部は、通孔２３を介して遠位側ルーメン２１と連通している。収容管３１の近位部には、外部へ貫通する放出孔３４が形成される返液部３５が設けられる。したがって、遠位側ルーメン２１から通孔２３を介して収容空間３３の遠位部に流体が流入すると、流体は吸着体３２の隙間を通過して収容空間３３の近位部に移動し、放出孔３４から外部へ放出される。
【００２４】
ポンプ５０は、遠位側ルーメン２１内の遠位側開口部２４の近傍に配置される軸流ポンプ５１と、遠位側ルーメン２１内の軸流ポンプ５１よりも近位側に配置される遠心ポンプ５２を備えている。軸流ポンプ５１は、回転することで遠位側開口部２４から流体を吸引し、かつ流体を近位方向へ押し出す軸流羽根５１Ａを備えている。遠心ポンプ５２は、複数の遠心羽根車５５を備えており、各々の遠心羽根車５５は、回転軸方向に離れて配置される２枚の回転板５６と、回転板５６の間に配置されて回転することで径方向外側へ流体を押し出す遠心羽根５７とを備えている。遠位側の回転板５６の中心側に、２枚の回転板５６の間に流体を取り込む開口である吸入口５８が設けられ、遠心羽根５７の径方向外側に、吐出口５９が設けられる。遠心羽根車５５の吐出方向に、通孔２３が形成されている。したがって、軸流ポンプ５１を通って近位方向に流れる流体を、遠心ポンプ５２によって径方向外側へ吐出し、通孔２３を介して収容空間３３内へ押し出すことができる。
【００２５】
駆動シャフト４０は、遠位側に軸流ポンプ５１および遠心ポンプ５２が固定されており、近位側に従動歯車６２が固定されている。駆動シャフト４０の近位部は、操作部６０内で回転可能となっている。
【００２６】
駆動シャフト４０は、柔軟で、しかも近位側から作用する回転の動力を遠位側に伝達可能な特性を持ち、例えば、右左右と巻き方向を交互にしている３層コイルなどの多層コイル状の管体で構成されている。
【００２７】
操作部６０は、図１に示すように、ハウジング６１と、駆動シャフト４０に回転力を付与する駆動部６３とを備えている。
【００２８】
駆動部６３は、駆動シャフト４０の近位部に固定される従動歯車６２と、従動歯車６２に噛み合う駆動歯車６４と、駆動歯車６４が固定させる駆動源であるモータ６６と、モータ６６へ電力を供給する電池などのバッテリー６７と、モータ６６の駆動を制御するスイッチ６８とを備えている。スイッチ６８を入れてモータ６６の回転軸６５を回転させることで、駆動歯車６４と噛み合う従動歯車６２が回転し、駆動シャフト４０が回転する。
【００２９】
本実施形態において対象とする造影剤は、Ｘ線により識別されるものであって、血管内投与に利用されるものであり、例えば、分子量が約８０００以下、イオン性又は非イオン性のヨウ素原子を含む化合物である。具体例を挙げると、イオプロミド、イオパミドール、イオメプロール、アミドトリゾ酸、イオヘキソール、イオタラム酸、ヨーダミド、メトリゾ酸、メトリザミド、イオキシラン等の単量体、および、イオキサグル酸、アジピオドン、イオトロクス酸、ヨードキサム酸、イオトロラン、等の二量体などが挙げられるが、これらに限定されるものではない。
【００３０】
シャフト部２０および収容管３１の構成材料は、硬度があってかつ柔軟性がある材質であることが好ましく、例えば、ポリエチレン、ポリプロピレンなどのポリオレフィン、ポリアミド、ポリエチレンテレフタレートなどのポリエステル、ＥＴＦＥ等のフッ素系ポリマー、ＰＥＥＫ（ポリエーテルエーテルケトン）、ポリイミドなどが好ましく使用される。また、剛性を増すために前記材料に金属のブレードやコイルを加えることも可能である。
【００３１】
造影剤除去デバイス１０の長さ（シャフト部２０の最遠位部から操作部６０までの長さ）は、特に限定されないが、例えば、１０００ｍｍ〜２０００ｍｍが好ましい。シャフト部２０の外径は、特に限定されないが、例えば、１．５ｍｍ〜４．０ｍｍが好ましい。
【００３２】
シャフト部２０および収容管３１は、材料中にＸ線造影性材料が含まれて形成されていてもよい。これにより、Ｘ線透視下で位置を的確に把握することができ、手技がより容易なものとなる。Ｘ線造影性材料としては、例えば、金、プラチナ、プラチナ−イリジウム合金、銀、ステンレス、モリブデン、タングステン、タンタル、パラジウムあるいはそれらの合金等が好適である。
【００３３】
また、シャフト部２０および収容管３１のいずれかの位置に、Ｘ線造影性材料からなるマーカーが配置されてもよい。マーカーは、Ｘ線造影性材料により形成されるワイヤをシャフト部２０や収容管３１の外面に巻きつけること、もしくはＸ線造影性材料によりパイプを形成してシャフト部２０や収容管３１の外面にかしめる又は接着することにより取り付けられる。
【００３４】
ハウジング６１の構成材料は、特に限定されないが、例えば、ポリカーボネート、ポリエチレン、ポリプロピレン等の硬質の樹脂等が使用できる。
【００３５】
次に、第１実施形態に係る造影剤除去デバイス１０の使用方法を、ＰＣＩを行う際に冠動脈に放出される造影剤を右心房から除去する場合を例として説明する。
説明する。
【００３６】
まず、使用する造影剤除去デバイス１０のプライミングを行い、シャフト部２０、収容管３１の内部を生理食塩水で置換する。
【００３７】
次に、大腿静脈または頸部静脈にイントロデューサシース（図示せず）を挿入する。次に、イントロデューサシースを介してガイドワイヤ（図示せず）を静脈内へ挿入する。なお、イントロデューサシースを設置する位置は、造影剤除去デバイス１０を右心房Ｒへアクセス可能であれば、限定されない。
【００３８】
次に、ガイドワイヤに沿ってガイディングカテーテル７０静脈内に挿入し、ガイディングカテーテル７０を右心房Ｒへ到達させる。次に、ガイドワイヤを抜去し、図３に示すように、ガイディングカテーテル７０を介して造影剤除去デバイス１０を右心房Ｒまで到達させる（挿入ステップ）。なお、造影剤除去デバイス１０の遠位部を、右心房Ｒから冠静脈洞Ｃへ挿入してもよい。
【００３９】
また、ガイドワイヤやガイディングカテーテルを介さずに、シースより造影剤除去デバイス１０を直接挿入して、右心房Ｒへ到達させてもいい。
【００４０】
次に、ＰＣＩを行うために、冠動脈まで挿入された別のカテーテルにより、造影剤を冠動脈へ放出する。冠動脈へ放出された造影剤は、冠静脈を通って冠静脈洞Ｃ、右心房Ｒへ到達する。
【００４１】
次に、スイッチ６８を操作してモータ６６を回転させると、駆動歯車６４から従動歯車６２へ回転力が伝わり、駆動シャフト４０が回転する。駆動シャフト４０が回転すると、軸流ポンプ５１により、血液および造影剤が、遠位側ルーメン２１内に吸引されて加圧される（加圧ステップ）。遠位側ルーメン２１内に吸引された血液および造影剤は、近位方向へ移動し、軸方向に並ぶいずれかの遠心ポンプ５２の吸入口５８に吸い込まれ、吐出口５９から径方向外側へ吐出される。吐出された血液および造影剤は、通孔２３を介して回収部３０の収容空間３３内へ移動する。
【００４２】
収容空間３３内へ血液および造影剤が移動すると、収容空間３３内の吸着体３２に造影剤が吸着され（回収ステップ）、残りの血液は、吸着体３２の隙間を通過して収容空間３３の近位部に移動し、放出孔３４から右心房内へ戻される（返液ステップ）。
【００４３】
ＰＣＩの手技が完了した後、スイッチ６８を操作してモータ６６を停止させる。これにより、軸流ポンプ５１および遠心ポンプ５２の回転が停止され、遠位側ルーメン２１内への血液および造影剤の吸引が停止される。
【００４４】
この後、造影剤除去デバイス１０をイントロデューサシースから抜去し、かつガイディングカテーテル７０およびイントロデューサシースを静脈Ｖから抜去して、処置が完了する。
【００４５】
以上のように、第１実施形態に係る造影剤除去デバイス１０は、少なくとも遠位部に遠位側ルーメン２１（ルーメン）が形成されたシャフト部２０と、前記遠位側ルーメン２１内に配置されて前記遠位側ルーメン２１の遠位側開口部２４（開口部）から外部の流体を吸引可能なポンプ５０と、遠位側ルーメン２１内でポンプ５０により加圧された流体から造影剤を選択的に回収可能な回収部３０と、前記回収部３０により造影剤を取り除かれた液体を前記シャフト部２０から外部へ戻す返液部３５と、を有する。上記のように構成した造影剤除去デバイス１０は、遠位側ルーメン２１内のポンプ５０により血液および造影剤を積極的に吸引しつつ加圧して、回収部３０による造影剤の回収を促し、残りの血液を返液部３５から血管内へ戻すことができる。このため、造影剤除去デバイス１０は、血液を体外へ抜き出す必要がなく、構成がコンパクトとなるとともに操作が容易となり、かつ造影剤を血管内から効果的に除去できる。そして、造影剤を血管内から効果的に除去できることで、造影剤による腎臓等の生体への影響を低減することができる。
【００４６】
また、ポンプ５０は、遠心ポンプ５７を有し、回収部３０は、遠心ポンプ５７の吐出方向に配置されるため、遠心ポンプ５７により加圧された流体が効率よく回収部３０へ移動し、造影剤を効率よく回収して除去できる。
【００４７】
また、ポンプ５０は、遠心ポンプ５７よりも遠位側開口部２４（開口部）に近い側に配置される軸流ポンプ５１を有するため、外部から遠位側ルーメン２１内へ血液を効率よく取り込むことができる。
【００４８】
また、回収部３０は、造影剤を吸着可能な吸着体３２を有するため、吸着体３２に造影剤を吸着させることで、造影剤を血管内から選択的に除去することができ、血液を除去することによる虚血の発生を抑制しつつ、造影剤を効果的に除去できる。
【００４９】
また、本発明は、造影剤を血管内から除去するための造影剤除去方法をも含む。当該造影剤除去方法は、（ｉ）遠位部に形成されるルーメン内にポンプが設けられた造影剤除去デバイスを血管内に挿入する挿入ステップと、（ｉｉ）前記ポンプを回転させて前記ルーメン内に血液および造影剤を吸引して加圧する加圧ステップと、（ｉｉｉ）加圧された血液および造影剤から造影剤を選択的に回収する回収ステップと、（ｉｖ）血液を血管へ戻す返液ステップと、を有する。上記のように構成した造影剤除去方法は、ルーメン内に配置されるポンプにより流体を加圧して造影剤の回収を促すことができるため、血液を一旦体外へ抜き出す必要がなく、コンパクトな構成となるとともに操作が容易となり、かつ造影剤を血管内から効果的に除去できる。
【００５０】
造影剤除去方法は、前記回収ステップにおいて、造影剤を吸着可能な吸着体に加圧された血液および造影剤を接触させることで、造影剤を前記吸着体に吸着させて回収する。このように、吸着体に造影剤を吸着させることで、造影剤を血液から選択的に回収することができ、血液を排出することによる虚血の発生を抑制できる。
＜第２実施形態＞
【００５１】
第２実施形態に係る造影剤除去デバイス１００は、吸着体が設けられない点で、第１実施形態と異なる。なお、第１実施形態と同様の機能を有する部位には、同一の符号を付し、説明を省略する。
【００５２】
造影剤除去デバイス１００は、図５、６に示すように、シャフト部１２０と、シャフト部１２０の遠位部の外側に配置される回収部１３０と、シャフト部１２０の内部に回転可能に配置される駆動シャフト４０と、駆動シャフト４０により回転駆動されるポンプ５０と、シャフト部２０の近位部に連結される操作部１６０とを備えている。
【００５３】
シャフト部１２０は、長尺な管体であり、内部にルーメンが形成されている。ルーメンは、遠位部にてポンプが配置される内径が大きい遠位側ルーメン１２１と、遠位側ルーメン１２１よりも近位側で駆動シャフト４０が回転可能に配置される近位側ルーメン１２２とを備えている。シャフト部１２０は、遠位側ルーメン１２１から回収部１３０へ流体を供給するための通孔１２３が形成される。通孔１２３は、遠心羽根車５５の吐出方向に形成されている。シャフト部１２０の通孔１２３よりも近位部には、遠位側ルーメン１２１から外面へ貫通する放出孔１２４が形成される返液部１２５が設けられている。放出孔１２４は、遠心羽根車５５よりも近位側に形成されている。
【００５４】
回収部１３０は、シャフト部１２０の遠位部の外周にシャフト部１２０を囲むように配置される収容管１３１と、収容管１３１からシャフト部１２０に沿って近位方向へ操作部１６０まで延びる吸引管１３２と、通孔１２３を覆う制限膜１３５とを備えている。収容管１３１とシャフト部１２０の間に形成される隙間である収容空間１３３は、吸引管１３２の内部に形成される排出ルーメン１３４と連通している。したがって、遠位側ルーメン１２１から通孔１２３を介して収容空間１３３に流体が流入すると、流体は排出ルーメン１３４を通って操作部１６０の排出ポート１６２から排出される。
【００５５】
制限膜１３５は、加圧された血液および造影剤のうち、造影剤を選択的に通過させ、血液の少なくとも一部の通過を制限する。制限膜１３５は、例えば、穴径が０．００１〜０．０３０ｍｍの複数の貫通孔が形成された膜である。制限膜１３５の構成材料は、特に限定されないが、例えばポリエチレンテレフタラートの不織布などを好適に使用できる。
【００５６】
操作部１６０は、ハウジング１６１と、排出ルーメン１３４と連通する排出ポート１６２と、駆動シャフト４０に回転力を付与する駆動部６３とを備えている。
【００５７】
次に、第２実施形態に係る造影剤除去デバイス１００の使用方法を、ＰＣＩを行う際に冠動脈に放出される造影剤を右心房から除去する場合を例として説明する。
説明する。
【００５８】
まず、使用する造影剤除去デバイス１００のプライミングを行い、内部を生理食塩水で置換する。
【００５９】
次に、大腿静脈または頸部静脈にイントロデューサシース（図示せず）を挿入する。次に、イントロデューサシースを介してガイドワイヤ（図示せず）を静脈内へ挿入する。なお、イントロデューサシースを設置する位置は、造影剤除去デバイス１００を右心房Ｒへアクセス可能であれば、限定されない。
【００６０】
次に、ガイドワイヤに沿ってガイディングカテーテル７０を静脈内に挿入し、ガイディングカテーテル７０を右心房Ｒへ到達させる。次に、ガイドワイヤを抜去し、図７に示すように、ガイディングカテーテル７０を介して造影剤除去デバイス１０を右心房Ｒまで到達させる（挿入ステップ）。なお、造影剤除去デバイス１００の遠位部を、右心房Ｒから冠静脈洞Ｃへ挿入してもよい。
【００６１】
また、ガイドワイヤやガイディングカテーテルを介さずに、シースより造影剤除去デバイス１０を直接挿入して、右心房Ｒへ到達させてもいい。
【００６２】
次に、ＰＣＩを行うために、冠動脈まで挿入された別のカテーテルにより、造影剤を冠動脈へ放出する。冠動脈へ放出された造影剤は、冠静脈を通って冠静脈洞Ｃ、右心房Ｒへ到達する。
【００６３】
次に、スイッチ６８を操作してモータ６６を回転させると、駆動歯車６４から従動歯車６２へ回転力が伝わり、駆動シャフト４０が回転する。駆動シャフト４０が回転すると、軸流ポンプ５１により、血液および造影剤が、遠位側ルーメン１２１内に吸引されて加圧される（加圧ステップ）。遠位側ルーメン１２１内に吸引された血液および造影剤は、近位方向へ移動し、軸方向に並ぶいずれかの遠心ポンプ５２の吸入口５８に吸い込まれ、吐出口５９から径方向外側へ吐出される。吐出された血液および造影剤は、通孔１２３に配置される制限膜１３５に接触する。制限膜１３５は、加圧された血液および造影剤のうち、造影剤を選択的に通過させ、血液の少なくとも一部は、通過を制限する。したがって、造影剤が制限膜１３５を通過し、血液の少なくとも一部は、遠位側ルーメン１２１を近位方向へ移動する。制限膜１３５を通過して収容空間１３３内に移動した造影剤は、排出ルーメン１３４を通って操作部１６０の排出ポート１６２から体外へ排出される（回収ステップ）。遠位側ルーメン１２１を近位方向へ移動した血液は、放出孔１２４を通って右心房Ｒ内へ戻される（返液ステップ）。
【００６４】
ＰＣＩの手技が完了した後、スイッチ６８を操作してモータ６６を停止させる。これにより、軸流ポンプ５１および遠心ポンプ５２の回転が停止され、遠位側ルーメン１２１内への血液および造影剤の吸引が停止される。
【００６５】
この後、造影剤除去デバイス１００をイントロデューサシースから抜去し、かつガイディングカテーテル７０およびイントロデューサシースを静脈Ｖから抜去して、処置が完了する。
【００６６】
以上のように、第２実施形態に係る造影剤除去デバイス１００は、回収部１３０が、造影剤が通過可能であるとともに血液の通過を制限する制限膜１３５を有するため、制限膜１３５に造影剤を選択的に通過させることで、造影剤を血管内から選択的に回収でき、血液を除去することによる虚血の発生を抑制しつつ、造影剤を効果的に除去できる。
【００６７】
また、造影剤を血管内から除去するための造影剤除去方法は、回収ステップにおいて、造影剤が通過可能であるとともに血液の通過を制限する制限膜に加圧された血液および造影剤を接触させることで、前記制限膜に造影剤を通過させて回収する。このように、制限膜に造影剤を選択的に通過させることで、造影剤を血管内から選択的に回収でき、血液を除去することによる虚血の発生を抑制できる。
【００６８】
なお、本発明は、上述した実施形態のみに限定されるものではなく、本発明の技術的思想内において当業者により種々変更が可能である。例えば、第１、第２実施形態に係る造影剤除去デバイスに、ガイドワイヤルーメンが形成されてもよい。
【００６９】
また、造影剤を投与する位置は、冠動脈に限定されない。例えば、経カテーテル大動脈弁留置術（ＴＡＶＩ）における心臓の左室造影や大動脈造影もこれに含まれる。
【００７０】
また、第１、第２実施形態において、ポンプ５０は、軸流ポンプ５１および遠心ポンプ５２を備えているが、いずれか一方のみが設けられる構成であってもよい。また、軸流ポンプおよび遠心ポンプの遠位ルーメン内における位置は、特に限定さない。
【００７１】
また、第１、第２実施形態に係る造影剤除去デバイスにより血液および造影剤を吸引する位置は、造影剤が流れる可能性がある位置であれば、特に限定されない。
【符号の説明】
【００７２】
１０、１００    造影剤除去デバイス、
２０、１２０    シャフト部、
２１、１２１    遠位側ルーメン（ルーメン）、
２２    近位側ルーメン、
２３    通孔、
２４    遠位側開口部（開口部）、
３０、１３０    回収部、
３２    吸着体、
３５、１２５    返液部、
４０    駆動シャフト、
５０    ポンプ、
５１    軸流ポンプ、
５２    遠心ポンプ、
５５    遠心羽根車、
５７    遠心羽根、
１００    造影剤除去デバイス、
１２０    シャフト部、
１２１    遠位側ルーメン、
１２２    近位側ルーメン、
１２３    通孔、
１３４    排出ルーメン、
１３５    制限膜、
Ｃ    冠静脈洞、
Ｒ    右心房。
【図１】
2016202553.tif 000003
【図２】
2016202553.tif 000004
【図３】
2016202553.tif 000005
【図４】
2016202553.tif 000006
【図５】
2016202553.tif 000007
【図６】
2016202553.tif 000008
【図７】
2016202553.tif 000009